(57)【要約】【課題】ユーザの操作によって営業車を選択でき、ユーザ情報を営業車に簡単に伝え、営業車の位置情報を含む営業車情報をユーザに簡単に伝える配車管理システムを提供する。【解決手段】配車管理システムは、ユーザ端末と営業車端末と管理サーバを含んで構成され、ユーザ端末は、ユーザ情報格納手段と、位置検出手段と、営業車の位置情報とユーザの位置情報を表示する表示手段と、営業車を選択して配車要求を管理サーバに送信し、営業車情報を受信して応答を送信する通信手段と、を備え、営業車端末は、位置検出手段と、営業車の情報を管理サーバに送信し、配車要求を受信し、営業車情報及び配車要求に対する応答を送信する通信手段と、営業車の位置情報とユーザ情報を表示する表示手段と、を備え、管理サーバは、営業車情報格納手段とユーザ情報格納手段と、営業車の送迎記録格納手段を備える。【選択図】図１
0003226174.tif 000002
【実用新案登録請求の範囲】
【請求項１】
ユーザに代わり、運転代行業の運転者が前記ユーザの車に前記ユーザを乗せて前記ユーザの送り先へ運転し、前記運転者が前記ユーザの迎え先まで使用した運転代行車に同乗していた他の運転者が、前記ユーザの車に随伴して前記運転代行車を運転する運転代行業において使用される運転代行車の配車管理システムであって、
前記ユーザが有するユーザ端末と、１つ又は複数の前記運転代行車に搭載された運転代行車端末と、運転代行車情報を管理する管理サーバと、を含んで構成され、
前記ユーザ端末は、
前記ユーザの送り先の前記ユーザの住所を含むユーザ情報を格納するユーザ情報格納手段と、
前記ユーザの迎え先の位置情報を検出する位置検出手段と、
１つ又は複数の前記運転代行車の位置情報と前記ユーザの位置情報を表示する表示手段と、
前記ユーザ情報を前記管理サーバに登録するために送信し、前記表示手段に表示された１つ又は複数の前記運転代行車から１つを選択して前記ユーザの位置情報と共に配車要求を前記管理サーバに送信し、前記運転代行車情報を受信し、前記運転代行車に対する応答を送信する通信手段と、
を備え、
前記運転代行車端末は、
前記運転代行車の位置情報を検出する位置検出手段と、
前記運転代行車の情報を前記管理サーバに送信し、前記ユーザから送信される前記配車要求を受信し、前記運転代行車情報及び前記配車要求に対する応答を送信する通信手段と、
前記運転代行車の迎え先の地図上の位置情報と送り先の前記ユーザの住所を含む前記ユーザ情報と、送り先の前記ユーザの住所の地図上の位置情報を表示する表示手段と、
を備え、
前記管理サーバは、
前記運転代行車情報を格納する運転代行車情報格納手段と、
前記ユーザ情報を格納するユーザ情報格納手段と、
前記運転代行車端末の位置情報と、前記ユーザ端末から受信した前記配車要求及び前記運転代行車に対する応答、及び前記運転代行車端末から受信した前記配車要求に対する応答を記録する送迎記録格納手段と、
を備えることを特徴とする運転代行車の配車管理システム。
【請求項２】
請求項１に記載の運転代行車の配車システムにおいて、前記運転代行車端末は、前記ユーザ情報を消去するユーザ情報消去手段を備えることを特徴とする運転代行車の配車管理システム。
【請求項３】
請求項１又は２に記載の運転代行車の配車システムにおいて、前記ユーザ端末は、前記運転代行車端末と前記ユーザ端末の間の距離を演算し、前記運転代行車端末と前記ユーザ端末の間の距離が所定距離内に入ると、前記ユーザ端末の表示部にメッセージを表示することを特徴とする運転代行車の配車管理システム。
【考案の詳細な説明】
【技術分野】
【０００１】
本考案は、ユーザが運転代行車（営業車）を選択し、簡単に呼び出すことのできる運転代行車の配車管理システムに関する。
【背景技術】
【０００２】
近年、ＧＰＳによる測位機能を有する携帯端末が広く普及している。それにより、携帯端末のユーザは、携帯端末に表示される地図上にユーザの現在位置を表示することができ、また、目的地までのルート検索や到達に要する時間の予測などもできるようになってきた。このＧＰＳによる測位機能を利用して、様々なサービスが提案されている。
【０００３】
例えば、特許文献１には、ＧＰＳによる測位機能を利用して、タクシー依頼者の位置情報をタクシー運転手に提供するタクシー呼び寄せシステムが開示されている。この発明によると、タクシー依頼者が自分の現在位置を把握していない場合（例えば、見知らぬ土地にいる場合など）であっても、タクシー運転手がタクシー依頼者の位置を確認できるため、タクシー依頼者を迎えに行くことができる。
【０００４】
また、特許文献２には、顧客および営業車の各位置に基づいて顧客に対する営業車の配車を管理する配車管理システムが開示されている。この発明によると、顧客からの配車要求の受け付け処理および営業車の配車処理を一元的に運用することができ、具体的には、営業車の位置を監視するシステムと、顧客からの依頼を受け付けるシステムと、営業車に顧客からの依頼を通知するシステムを１つの配車管理システムで運用することができる。
【先行技術文献】
【特許文献】
【０００５】
【特許文献１】特開２００２−１４０７９６号公報
【特許文献２】特開２００３−３３１３９４号公報
【考案の概要】
【考案が解決しようとする課題】
【０００６】
特許文献１では、タクシー運転手が車載端末（ナビゲーション装置）でタクシー依頼者の位置を地図上に表示することができる。しかし、タクシー運転手がタクシー依頼者を選択することはできても、タクシー依頼者が近くにいるタクシーを自ら選択することはできず、特定のタクシー会社に依頼したい場合など不便な場合がある。
【０００７】
また、特許文献２では、配車管理システムの位置表示手段において、顧客と営業車の位置が地図上にアイコンとして表示され、アイコン選択手段を用いてオペレータが顧客に近い営業車のアイコンを選択することにより、適切な営業車が選択されて配車される。この場合においても、オペレータが顧客に近い営業車を選択するため、顧客が自ら営業車を選択する自由度はない。また、オペレータを介することにより、手間がかかる。従って、顧客（以下、ユーザと記す）側からの操作によって、自ら営業車を選択できるシステムが望まれる。
【０００８】
本考案は、上記課題に鑑み、ユーザの操作によって運転代行車（営業車）を選択でき、ユーザの位置情報を含むユーザ情報を運転代行車（営業車）に簡単に伝え、運転代行車（営業車）の位置情報を含む営業車情報をユーザに簡単にかつ効率よく伝えることができる運転代行車の配車管理システムを提供することを目的とする。 
【課題を解決するための手段】
【０００９】
（１）請求項１に記載の考案は、ユーザに代わり、運転代行業の運転者が前記ユーザの車に前記ユーザを乗せて前記ユーザの送り先へ運転し、前記運転者が前記ユーザの迎え先まで使用した運転代行車に同乗していた他の運転者が、前記ユーザの車に随伴して前記運転代行車を運転する運転代行業において使用される運転代行車の配車管理システムであって、前記ユーザが有するユーザ端末と、１つ又は複数の前記運転代行車に搭載された運転代行車端末と、運転代行車情報を管理する管理サーバと、を含んで構成され、前記ユーザ端末は、前記ユーザの送り先の前記ユーザの住所を含むユーザ情報を格納するユーザ情報格納手段と、前記ユーザの迎え先の位置情報を検出する位置検出手段と、１つ又は複数の前記運転代行車の位置情報と前記ユーザの位置情報を表示する表示手段と、前記ユーザ情報を前記管理サーバに登録するために送信し、前記表示手段に表示された１つ又は複数の前記運転代行車から１つを選択して前記ユーザの位置情報と共に配車要求を前記管理サーバに送信し、前記運転代行車情報を受信し、前記運転代行車に対する応答を送信する通信手段と、を備え、前記運転代行車端末は、前記運転代行車の位置情報を検出する位置検出手段と、前記運転代行車の情報を前記管理サーバに送信し、前記ユーザから送信される前記配車要求を受信し、前記運転代行車情報及び前記配車要求に対する応答を送信する通信手段と、前記運転代行車の迎え先の地図上の位置情報と送り先の前記ユーザの住所を含む前記ユーザ情報と、送り先の前記ユーザの住所の地図上の位置情報を表示する表示手段と、を備え、前記管理サーバは、前記運転代行車情報を格納する運転代行車情報格納手段と、前記ユーザ情報を格納するユーザ情報格納手段と、前記運転代行車端末の位置情報と、前記ユーザ端末から受信した前記配車要求及び前記運転代行車に対する応答、及び前記運転代行車端末から受信した前記配車要求に対する応答を記録する送迎記録格納手段と、を備えることを特徴とする運転代行車の配車管理システムである。
（２）請求項２に記載の考案は、請求項１に記載の運転代行車の配車管理システムであって、前記運転代行車端末は、前記ユーザ情報を消去するユーザ情報消去手段を備えることを特徴とする。
（３）請求項３に記載の考案は、請求項１又は２に記載の運転代行車の配車システムであって、前記ユーザ端末は、前記運転代行車端末と前記ユーザ端末の間の距離を演算し、前記運転代行車端末と前記ユーザ端末の間の距離が所定距離内に入ると、前記ユーザ端末の表示部にメッセージを表示することを特徴とする。
【考案の効果】
【００１０】
本考案の運転代行車の配車管理システムによると、ユーザの操作によって運転代行車（営業車）を選択でき、ユーザの位置情報を含むユーザ情報を運転代行車（営業車）に簡単に伝え、運転代行車（営業車）の位置情報を含む運転代行車（営業車）情報をユーザに簡単にかつ効率よく伝えることができる。
【図面の簡単な説明】
【００１１】
【図１】本考案の一実施形態である配車管理システムの構成を示す概略図である。
【図２】本考案の一実施形態である配車管理システムの全体構成を示すブロック図である。
【図３】本考案の一実施形態であるユーザ端末に格納されるユーザ情報（Ａ）と、営業車端末に送られるユーザ情報（Ｂ）のデータ例を示す図である。
【図４】本考案の一実施形態である管理サーバに格納される営業車情報（Ａ）と、営業車の送迎記録（Ｂ）のデータ例を示す図である。
【図５】本考案の一実施形態であるユーザ端末における処理の流れを示すフローチャートである。
【図６】本考案の一実施形態である営業車端末における処理の流れを示すフローチャートである。
【図７】本考案の一実施形態である管理サーバ、ユーザ端末、営業車端末の間で送受信される情報の流れを示すシーケンス図である。
【図８】本考案の一実施形態であるユーザ端末に表示される画面のイメージ図である。
【図９】本考案の一実施形態であるユーザ端末に表示される画面のイメージ図である。
【図１０】本考案の一実施形態である営業車端末に表示される画面のイメージ図である。
【考案を実施するための形態】
【００１２】
以下、本考案の実施の形態（以下実施例と記す）を、図面に基づいて説明する。なお、以下の図において、共通する部分には同一の符号を付しており、同一符号の部分に対して重複した説明を省略する。
【００１３】
〔システムの構成〕
まず、図１〜図４を用いて、本実施例の配車管理システムの構成を説明する。図１は、本実施例の配車管理システムの構成を示す概略図であり、図２は、本実施例の配車管理システムの全体構成を示すブロック図である。図３は、本実施例のユーザ端末に格納されるユーザ情報（Ａ）と、営業車端末に送られるユーザ情報（Ｂ）のデータ例を示す図であり、図４は、本実施例の管理サーバに格納される営業車情報（Ａ）と、営業車の送迎記録（Ｂ）のデータ例を示す図である。本実施例の配車管理システム１００は、営業車を利用するユーザが有するユーザ端末１０と、１つ又は複数の営業車に搭載された営業車端末３０と、営業車情報を管理する管理サーバ２０を含んで構成されるシステムである。
【００１４】
図１において、ユーザ端末１０は２台、営業車端末３０は３台設置しているが、本考案の配車管理システム１００ではそれらを何台設置してもよい。また、図２のブロック図では、簡単のため、ユーザ端末１０と営業車端末３０をそれぞれ１つだけ示して説明する。ユーザ端末１０、営業車端末３０と管理サーバ２０は、インターネット等のネットワーク５０に接続される。また、ユーザ端末１０と営業車端末３０はＧＰＳ衛星４０による測位機能を利用して、ユーザの位置情報と営業車の位置情報を検出する。
【００１５】
〔ユーザ端末１０〕
ユーザ端末１０は、ＧＰＳ機能を有し、表示機能を有するものであれば、いかなる携帯端末でもよいが、本実施例では、ユーザ端末１０としていわゆるスマートフォンを例に挙げて説明する。ユーザ端末１０は、営業車を利用する予定のユーザによって操作され、管理サーバ２０を介して営業車端末３０にユーザ情報を送信する。ユーザ端末１０（スマートフォン）は、制御部１１、通信部１２、タッチパネル表示装置である表示部１３及び入力部１４と、記憶部１５、出力部１６及びＧＰＳ受信部１７を含んで構成される。各構成部は、一般のスマートフォンと同様に構成されるため、詳細な説明を省略する。
【００１６】
制御部１１は、ＣＰＵと、該ＣＰＵを動作させるための制御プロクラムを保持する不揮発性メモリと、ＣＰＵの動作に使用する揮発性メモリと、その他動作に必要な回路を有しており、上記の各部およびユーザ端末１０全体に対する制御を行う。特に本実施例では、管理サーバ２０を介して営業車端末３０との間の情報の送受信を行うアプリケーションプログラム（以下、アプリと記す）の制御を行う。また、制御部１１の位置検出手段１１１がＧＰＳ受信部１７により受信した信号からユーザ端末１０の位置を示す情報（緯度・経度）を生成する。更に、位置情報から距離計算を行う演算部を備えてもよい。それにより、例えば、営業車端末３０とユーザ端末１０の間の距離を演算し、営業車端末３０とユーザ端末１０の間の距離が所定距離内に入ると、表示部１３にメッセージを表示することができる。
【００１７】
通信部１２（通信手段）は、通常のスマートフォンと同様にメッセージや画像を送受信する送信部（送信手段）と受信部（受信手段）を備える。特に本実施例では、営業車に対する配車要求や営業車に対する応答を送受信する。
【００１８】
表示部１３（表示手段）は表示画面上に設けられたタッチパネルの入力装置（入力部１４）を有しており、ユーザは表示された内容に対応して画面上で直接入力を行うことができる。タッチパネルで入力を行うことができることで画面切り替えの操作を簡単に行うことができる。本実施例では、タッチパネル上で図３（Ａ）に示すようなユーザ情報（氏名、送り先の住所）を入力する。
【００１９】
表示部１３には、地図のデータを表示することができる。地図データとしては、例えば、インターネットを介して地図検索が可能ないわゆるＧｏｏｇｌｅ（登録商標）マップを表示することができる。この地図データを用いて、ユーザ端末１０の現在位置や１つ又は複数の営業車端末３０の位置を表示することができる。また、表示部１３のタッチパネル上で営業車からの応答（メッセージ）を表示し、タッチパネルの入力部１４で営業車に対する応答を入力することができる。
【００２０】
記憶部１５は、入力したユーザ情報（図３（Ａ））を格納するユーザ情報格納手段１５１を備える。ユーザ情報格納手段１５１を備えることにより、一度、入力したユーザ情報は、再度入力しなくても利用することができ、入力する手間を省くことができる。また、配車管理システム１００を構成する種々の機能を動作させるためのアプリや、ユーザ端末１０全体を制御するためのプログラムが格納されている。その他、ユーザが必要と考える情報（例えば営業車リスト）を記録することができる。
【００２１】
出力部１６は、記憶部１５に保持されたデータを記録するメモリーカードを挿入する端子やＵＳＢ端子などの出力端子を備える。また、出力部１６を介して、それらのデータや画像を印刷できる構成としてもよい。例えば、ユーザ端末１０の通信部１２が不具合により通信できない場合には、記憶部１３に保持されている営業車リストを出力し、手動で他の携帯端末や電話機から営業車を呼び出すことができる。
【００２２】
ＧＰＳ受信部１７は、ＧＰＳ衛星４０からの電波を受信するためのアンテナが内蔵されている。ＧＰＳ受信部１７は、そのアンテナにより受信された信号を復調し、制御部１１に供給し、制御部１１の位置検出手段１１１がユーザ端末１０の位置を示す情報（緯度・経度）を生成し、表示部１３の地図上に表示させる。その位置情報は、通信部１２の送信手段（送信部）により、管理サーバ２０を介して営業車端末３０に送られる。すなわち、営業車端末３０に送られる配車要求には、図３（Ａ）に示したユーザ情報に加え、図３（Ｂ）に示すように現在位置の情報と携帯端末の電話番号、送り先住所が含まれる。それにより、ユーザが何も伝えなくても送り先住所を営業車の運転者に伝えることができる。
【００２３】
〔管理サーバ２０〕
管理サーバ２０は、主に営業車端末３０から送信される営業車情報を管理し、図２に示すように制御部２１、通信部２２、表示部２３及び入力部２４と、記憶部２５及び出力部２６を含んで構成される。
【００２４】
制御部２１は、ユーザ端末１０の制御部１１と同様に、上記の各部および管理サーバ２０全体に対するプログラムの制御を行う。また、配車管理システム１００を構成する種々の機能を動作させるためのアプリを制御する。特に本実施例では、記憶部２５の記録の更新やデータの読み出し、通信部２２を介して送受信されるユーザ端末１０と営業車端末３０との間のやりとりを記録するプログラムを制御する。
【００２５】
記憶部２５は、営業車端末３０の位置情報と日時を随時更新しながら受け取り、記録する。また、記憶部２５には、管理サーバ２０を制御するためのプログラムと、上記アプリが格納されている。更に、記憶部２５は図４（Ａ）に示す営業車端末３０のＩＤ（会社名や運転者の氏名、電話番号）を記録する営業車格納手段２５１と、ユーザ情報（図３（Ｂ））を格納するユーザ情報格納手段２５２と、営業車端末３０の送迎記録（位置情報、時間、ユーザとの応答）を記録する送迎記録格納手段２５３を備える。
【００２６】
送迎記録格納手段２５３に記録された情報（図４（Ｂ））は、一定の期間毎（例えば１カ月毎）にまとめ、表示部２３に表示し、出力部２６から出力して営業車を有する会社に送迎記録の報告書として提出することもできる。それにより、営業車の会社は、営業車がユーザと自主的に、やり取りしているにもかかわらず、その送迎記録を管理することができる。
【００２７】
なお、本実施例の管理サーバ２０の主な役割は、営業車端末３０の営業車情報の記録と、営業車端末３０とユーザ端末１０との間の情報のやりとりの記録であり、営業車の選択、ユーザの選択はそれぞれユーザ端末１０と営業車端末３０で決定される。従って、従来の技術（例えば特許文献２）とは異なり、サーバによって営業車を選択する手間が省け、ユーザからの操作によって、自ら営業車を選択することができる。また、営業車も配車要求に対応するか否かを自ら選択することができる。
【００２８】
〔営業車端末３０〕
営業車端末３０は、営業車に搭載された移動式の端末であり、ユーザ端末１０と同様に、ＧＰＳ機能を有し、表示機能を有するものであれば、いかなる携帯端末でもよい。本実施例では、ユーザ端末１０と同様にスマートフォンを例に挙げて説明する。営業車端末３０は、営業車を運転する運転者によって操作され、管理サーバ２０に営業車情報を登録し、管理サーバ２０を介してユーザ端末１０に営業車情報を送信する。図２に示すように、営業車端末３０は、制御部３１、通信部３２、表示部３３、入力部３４、記憶部３５、出力部３６及びＧＰＳ受信部３７を含んで構成される。
【００２９】
制御部３１は、上記の各部および営業車端末３０全体に対する制御を行うが、本実施例では、配車管理システム１００を構成する種々の機能を動作させるためのアプリを制御し、特に管理サーバ２０を介してユーザ端末１０との間の情報の送受信を制御する。また、制御部３１の位置検出手段３１１がＧＰＳ受信部３７により受信した信号から営業車の位置を示す情報（緯度・経度）を生成する。更に、位置情報から距離計算を行う演算部を備えてもよい。それにより、ユーザの送迎に必要な時間や距離を計算することができる。
【００３０】
また、本実施例では上記の運転者がユーザを送迎した後に、上記のアプリを終了すると、図３（Ｂ）に示すユーザの情報（氏名、電話番号、送り先等）を記憶部３５から消去するユーザ情報消去手段３１２のプログラムが備えられている。個人情報保護の観点から、ユーザ情報消去手段３１２を有することで、ユーザは安心して営業車に配車を要求することができる。なお、本実施例では前のユーザのユーザ情報（図３（Ｂ））を消去しなければ、次のユーザのお客待ちを行うためのアプリを起動できない構成としているが、本考案はこれに限定されず、ユーザ情報消去手段３１２のプログラムを備えない構成としてもよい。
【００３１】
通信部３２（通信手段）は、メッセージや画像を送受信する送信部（送信手段）と受信部（受信手段）を備える。本実施例では、送信部を介して入力部３４で入力した営業車の情報（会社名、運転者氏名、電話番号など）（図４（Ａ））を管理サーバ２０に送信して登録し、随時（例えば１０秒毎）営業車の位置情報を管理サーバ２０に送信する。また、ユーザ端末１０から管理サーバ２０を介して送られる配車要求や、ユーザ端末１０に対する応答を送受信する。また、送り先の住所を含むユーザの情報（図３（Ｂ））がユーザ端末１０から管理サーバ２０を介して送られるため、ユーザが話さなくても送り先の住所を確認することができ、地図上においても確認できるため、便利である。
【００３２】
表示部３３（表示手段）は表示画面上のタッチパネルの入力装置（入力部３４）を有しており、画面上で直接入力を行うことができる。ユーザ端末１０と同様に、表示部３３には、地図のデータを表示することができ、例えば、Ｇｏｏｇｌｅ（登録商標）マップを表示することができる。この地図データを使用し、営業車端末３０の現在位置やユーザ端末１０の迎え先（現在位置）や送り先などを表示することができる。また、表示部３３のタッチパネル上でユーザ端末１０からの配車要求を表示し、入力部３４でユーザ端末１０に対する応答を入力することができる。
【００３３】
記憶部３５は、前述のアプリや、営業車端末３０全体を制御するためのプログラムが記憶されている。その他、ユーザ情報や営業車情報などを一時的に記録することもできる。出力部３６及びＧＰＳ受信部３７は、ユーザ端末１０と同様であるため、説明を省略する。
【００３４】
〔システムの流れと使用例〕
次に本考案に係る配車管理システム１００の流れと使用例を図５から図１０を用いて説明する。図５は、ユーザ端末１０における処理の流れを示すフローチャートであり、図６は、営業車端末３０における処理の流れを示すフローチャートである。図７は、ユーザ端末１０、管理サーバ２０、営業車端末３０の間で送受信される情報の流れを示すシーケンス図である。図５〜７における各ステップは、図においてＳ１１、Ｓ１２、...と略して表示する。
【００３５】
図８と図９は、ユーザ端末１０に表示される画面の一例のイメージ図である。図１０は、営業車端末３０に表示される画面の一例のイメージ図である。なお、ユーザ端末１０と営業車端末３０に表示される画面は、図８〜図１０に示す画面に限らず、ここに示していない画面も含まれる。また、以下の説明では、営業車として運転代行業で使用する運転代行車を例に挙げて説明する。なお、以下の説明と図面では、運転代行車、運転代行車端末を、代行車、代行車端末と省略して記載する。まず、図５のユーザ端末１０における処理の流れを図８と図９を参照しながら説明する。
【００３６】
〔ユーザ端末１０における処理の流れ〕
ステップ１１において、ユーザが配車管理システムを実行するためのアプリを起動する。アプリをダウンロードしていない場合には、管理サーバ２０にアクセスして、利用規約を確認した上でダウンロードし、アプリを起動する。
【００３７】
次にステップ１２において、初期設定（ユーザ情報の登録）を既に行なっているか否かを判断する。既に登録している場合（ＹＥＳの場合）には、ステップ１４に進み、登録していない場合（ＮＯの場合）には、ステップ１３において図３（Ａ）に示すユーザ情報（氏名と送り先の住所）を登録して、ステップ１４に進む。このとき、送り先の住所は、文字を入力してもよいが、表示部１３に表示される地図の送り先の住所をタップすることで簡単に入力できる。その後、アプリが終了するまでユーザ端末１０は、随時、管理サーバ２０にアクセスして情報を得る。
【００３８】
ステップ１４において、ユーザは代行車を表示部１３に表示される地図上又は代行車会社のリストから探す。代行車を地図上から探す選択をした場合には、図８（Ａ）に示すように、地図上に配車可能な代行車端末３０が１つ又は複数表示される。地図上に表示される代行車端末３０のアイコンをタップすると、その代行車情報（図４（Ａ）に示す情報）が表示される。代行車を代行車会社のリストから探す選択をした場合には、その代行車会社の名前や電話番号等のリストが表示される。本実施例では、代行車を地図上から探す選択をした場合について説明する。
【００３９】
図８（Ａ）に示すように、地図上に配車可能な代行車端末３０のアイコンが１つ又は複数表示される場合には、例えばユーザ端末１０に一番近い代行車端末３０のアイコンをタップすることで、図８（Ｂ）に示す画面となり、代行車端末３０を選択して配車を依頼することができる。このように、ユーザの操作によって、代行車の会社や位置を確認した上で代行車端末３０を選択して配車を依頼することができる点が従来技術と異なり、本考案の優れた特徴である。また、地図上のアイコンをタップするだけで、代行車を依頼できるため、代行車の運転者に電話をかける手間が省けるという利点がある。
【００４０】
次にステップ１５において、図８（Ｂ）に示すような画面で代行車端末３０を選択して配車を依頼するか否かを判断する。代行車端末３０を選択して配車を依頼する場合（ＹＥＳの場合）には、依頼してステップ１７に進み、代行車端末３０を選択して配車を依頼しない場合（ＮＯの場合）には、ステップ１６に進む。配車を依頼する場合には、例えば図８（Ｂ）に示す依頼する旨のボタンをタップする。
【００４１】
代行車端末３０を依頼しない場合（ＮＯの場合）としては、例えば、地図上のユーザ近辺に代行車端末３０が表示されない場合やＧＰＳの不具合で地図が表示できない場合、又はユーザが普段使用している代行車会社の代行車（ユーザの好みに合う代行車）が表示されない場合などである。このような場合（ＮＯの場合）には、ステップ１６において、代行車会社のリストを表示して電話で連絡してシステムを終了する。
【００４２】
代行車端末３０を選択して配車を依頼する場合（ＹＥＳの場合）には、ステップ１７において、ユーザ情報を入力する。ユーザ情報は氏名、電話番号、迎え先と送り先である。送り先は既に登録している住所に間違いがなければ、そのままＯＫボタンをタップするだけでよい。送り先に変更がある場合には、住所を入力又は地図上をタップすることで、送り先の住所を入力し、送り先を変更できる。迎え先は、図８（Ｃ）に示すようにユーザの現在の位置を入力する。ユーザの現在の位置が例えばお店である場合には、地図上のお店の位置をタップしてＯＫボタンをタップする。表示される地図上にお店が表示されない場合には、店名や住所を入力してＯＫボタンをタップする。
【００４３】
続けて、ステップ１８において、送迎依頼の確認画面（ユーザの氏名、迎え先、送り先、電話番号、依頼する代行車の情報）を表示して確認した後に、送迎依頼のボタンをタップして送迎依頼を確定する。直接、代行車の運転者に電話で依頼することもできる。
【００４４】
ステップ１９において、ユーザが選択して送迎を依頼した代行車が送迎可能か否かを判断する。代行車が送迎可能な場合（ＹＥＳの場合）にはステップ２０に進み、代行車が送迎できない場合（ＮＯの場合）には、ステップ１４に戻り、再度、別の代行車を探す。図９（Ａ）は、代行車が送迎可能な場合（ＹＥＳの場合）の表示例である。図９（Ａ）に示すように図柄を入れてもよいし、文字だけを表示してもよい。代行車が送迎可能な場合も、送迎できない場合も画面上には確認のためのＯＫボタンが表示され（図９（Ａ）参照）、そのボタンをタップすることで代行車からの応答を確認したことを送信する。
【００４５】
ステップ２０において、代行車端末３０の位置情報を地図上で確認しながら、代行車の到着を確認する。代行車端末３０の位置情報は例えば図９（Ｂ）に示すように、地図上で随時更新される代行車端末３０の位置を確認することができる。そして、代行車端末３０とユーザ端末１０が所定の距離（例えば５分程で到着する距離）になると、「もうすぐ到着します」などのメッセージを表示してもよい。更に代行車端末３０がユーザ端末１０に近づき、到着が近くなると例えば図９（Ｃ）に示すようにメッセージが表示され、代行車端末３０の到着を確認することができる。代行車がユーザの迎え先に到着すると、ユーザ端末１０における一連の処理の流れが終了する。
【００４６】
以上説明したように、ユーザ端末１０における代行車の配車依頼（配車要求）は、ユーザ端末１０の画面上にある代行車のアイコンをタップして行うことができ、ユーザの操作は非常に簡単である。それにより、例えば、ユーザの体調が優れず、送り先を上手く説明できない場合あっても、画面をタップするだけで配車要求することができ、ユーザの迎え先や送り先を運転者に確実に伝えることができるため、ユーザにとって負担が少なく、利点が多い。
【００４７】
〔代行車端末３０における処理の流れ〕
次に代行車端末３０における処理の流れを図６と図１０を用いて説明する。図６は、代行車端末３０における処理の流れを示すフローチャートであり、図１０は、代行車端末１０に表示される画面の一例のイメージ図である。
【００４８】
まず、図６のステップ２１において、代行車の運転者が配車管理システムを実行するためのアプリを起動する。アプリをダウンロードしていない場合には、管理サーバ２０にアクセスして、利用規約を確認した上でダウンロードし、アプリを起動する。
【００４９】
ステップ２２において、代行車の情報（運転者の氏名、電話番号、代行車会社）を入力し、管理サーバ２０に送信して登録する。この登録により、お客待ち（ユーザ待ち）を登録したことになるため、ユーザ端末１０の地図上に代行車端末３０のアイコンが表示される。図１０（Ａ）は、代行車情報の登録画面の一例である。図１０（Ａ）の「お客待ちを開始する」というボタンをタップすることで、お客待ちを登録する。その後、アプリが終了するまで代行車端末３０は、随時、管理サーバ２０にアクセスして情報を得る。
【００５０】
お客待ちを登録した後、ステップ２３において、お客待ちの状態が開始し、代行車端末３０の位置情報が随時、管理サーバ２０に送られる。その間、お客待ちを終了したい場合には、いつでも終了できるよう、終了ボタンが画面に表示される。例えば、代行車会社から電話により配車要求があった場合などには、このアプリを終了する。
【００５１】
ステップ２４において、ユーザ端末１０から配車要求があるか否かを判断する。配車要求がある場合（ＹＥＳの場合）にはステップ２５に進み、配車要求がない場合（ＮＯの場合）には、ステップ２３のお客待ちの状態を続ける。配車要求がある場合（ＹＥＳ）には、代行車端末３０の画面上に例えば「送迎依頼が来ました。ご確認をお願いします。」のメッセージが表示される。代行車の運転者は、そのメッセージを確認したことを表すボタンをタップして、ユーザ情報を確認できる画面に進む。
【００５２】
ステップ２５において、代行車の運転者はユーザ情報を確認する。ユーザ情報は、例えば図１０（Ｂ）に示す画面で確認することができる。この画面で、迎え先や送り先は、それぞれボタンをタップすることで、地図上でその場所を確認することができる。
【００５３】
ステップ２６において、代行車の運転者が配車要求を受けるか否かを判断する。配車要求を受ける場合（ＹＥＳの場合）にはステップ２７に進み、配車要求を受けない場合（ＮＯの場合）には、ステップ２３のお客待ちの状態を続ける。配車要求を受けない場合（ＮＯの場合）として、例えばユーザの送り先が非常に遠方で送迎の効率が悪い場合や、代行車会社から直接電話で配車要求があった場合などである。
【００５４】
配車要求を受ける場合（ＹＥＳの場合）には、図１０（Ｂ）に示す画面で、配車要求を受ける旨（「行く」と表示）のボタンをタップし、配車要求を受ける旨を管理サーバ２０に送信する。また、配車要求を受けない場合（ＮＯの場合）には、図１０（Ｂ）に示す画面で、配車要求を受けない旨（「行かない」と表示）のボタンをタップし、配車要求を受けない旨を管理サーバ２０に送信する。
【００５５】
配車要求を受ける旨を管理サーバ２０に送信すると、図１０（Ｃ）に示すような受付完了の画面が表示され、ユーザの情報が表示される。ステップ２７において、ユーザの迎え先に到着すると、図１０（Ｃ）の「到着のお知らせ」ボタンをタップして、ユーザ端末１０に到着を知らせることができる。または、ユーザに直接電話して到着を知らせてもよい。その後、ユーザの送り先住所や地図が表示され、代行車がユーザの送り先に到着すると、代行車端末３０における一連の処理の流れが終了する。なお、本実施例では、代行車端末３０のアプリを終了すると、ユーザ情報が消去されるため、個人情報保護の観点からユーザが安心して使用できるが、ユーザ情報を消去しないように構成してもよい。
【００５６】
以上説明したように、代行車の運転者は、代行車端末３０で簡単にお客待ち状態（ユーザ待ち状態）を登録することができ、近くのユーザから配車要求を受けることで、効率よくユーザを送迎することができる。特に繁華街近辺（飲食店の多い場所）で待機すれば、ユーザが代行車端末３０を探しやすくなるため、ユーザから配車要求を受ける可能性が高くなり、効率のよい送迎が可能となる。また、ユーザの送迎先を代行車端末３０で確認できるため送迎先を間違うこともなく、ユーザへの応答も代行車端末３０の画面上にあるボタンをタップすることで簡単に行うことができ、運転者にとって負担が少なく、効率の良い送迎ができる。
【００５７】
〔管理サーバ２０における処理の流れ〕
次に管理サーバ２０における処理の流れを、図７のシーケンス図を用いて説明する。図７は、管理サーバ２０、ユーザ端末１０、代行車端末３０の間で送受信される情報の流れを示すシーケンス図である。前述のように、本実施例の管理サーバ２０の主な役割は、代行車端末３０の代行車情報の記録と、代行車端末３０とユーザ端末１０との間の情報のやりとりの記録である。
【００５８】
まず、ステップ０１において、代行車の運転者がアプリを起動し、代行車端末３０から代行車情報（運転者の氏名、電話番号、代行車会社）が管理サーバ２０に送信されると、管理サーバ２０は代行車情報を記憶部２５（営業車情報格納手段２５１）に格納する。
【００５９】
次にステップ０２において、ユーザがアプリを起動し、ユーザ端末１０の表示画面上の地図で代行車端末３０のアイコン（図８（Ａ）参照）を選択してタップし、配車要求すると、管理サーバ２０は配車要求があったことを記録し、代行車端末３０が配車要求を確認する。
【００６０】
その後、ステップ０３において、代行車の運転者が代行車端末３０の表示画面上で配車要求を受けるか否かのアイコン（図１０（Ｂ）参照）を選択してタップすると、管理サーバ２０は代行車端末３０から配車要求を受けるか否かの応答を記録し、ユーザ端末１０がそれを確認する。
【００６１】
ステップ０４において、ユーザが代行車端末３０からの配車要求の応答を確認したことをＯＫボタン（図９（Ａ）参照）をタップすることで応答すると、管理サーバ２０はユーザからの応答を記録する。
【００６２】
ステップ０５において、代行車の運転者が代行車端末３０の表示画面上で迎え先に到着したことをアイコン（図１０（Ｃ）参照）を選択してタップすると、管理サーバ２０は代行車端末３０からの連絡を記録し、ユーザ端末１０がそれを確認する。
【００６３】
ステップ０６において、代行車がユーザの迎え先に到着して、ユーザがアプリを終了すると、管理サーバ２０はユーザ端末１０のアプリの終了を記録する。また、ステップ０７において、代行車がユーザの送り先に到着して代行車の運転者がアプリを終了すると、管理サーバ２０は代行車端末３０のアプリの終了を記録する。代行車端末３０のアプリが終了すると、管理サーバ２０における一連の処理の流れが終了する。
【００６４】
上記の処理の中で、代行車端末３０の位置情報は随時、管理サーバ２０に送られ記録される。代行車端末３０から応答があったときにのみ、位置情報を記録するような構成としてもよい。以上のように、管理サーバ２０がユーザ端末１０と代行車端末３０のやり取りを記録しているため、ユーザ端末１０と代行車端末３０の自主的なやり取りが可能でありながらも、代行車会社が代行車端末３０の送迎記録を得ることができる。例えば月に一度、管理サーバ２０に記録されている送迎記録をまとめて、月報として代行車会社に渡すことができる。
【００６５】
以上説明してきたように、配車管理システム及び配車管理方法は、ユーザの操作によって営業車を選択でき、ユーザの位置情報を含むユーザ情報を営業車に簡単に伝え、営業車の位置情報を含む営業車情報をユーザに簡単にかつ効率よく伝えることができる。従って、ユーザと営業車の運転者の双方にとって、利便性を向上させることができる。また、代行車会社からの視点では、より効果的に配車が可能となり、送迎記録を確実に得ることができる。
【００６６】
なお、上述した実施例の配車管理システム及び配車管理方法は、一例であり、その構成や方法は、考案の趣旨を逸脱しない範囲で、適宜変更可能である。
【符号の説明】
【００６７】
１０      ユーザ端末
１１      制御部
１３      表示部
１５      記憶部
１７      ＧＰＳ受信部
２０      配車管理サーバ
２１      制御部
２５      記憶部
３０      営業車端末（代行車端末）
３１      制御部
３３      表示部
３５      記憶部
３７      ＧＰＳ受信部
４０      ＧＰＳ衛星
５０      ネットワーク
１００    配車管理システム
【図１】
0003226174.tif 000003
【図２】
0003226174.tif 000004
【図３】
0003226174.tif 000005
【図４】
0003226174.tif 000006
【図５】
0003226174.tif 000007
【図６】
0003226174.tif 000008
【図７】
0003226174.tif 000009
【図８】
0003226174.tif 000010
【図９】
0003226174.tif 000011
【図１０】
0003226174.tif 000012